(57)【要約】  装置が、マルチコア光ファイバと、第１、第２、および第３の光結合器とを含む。マルチコア光ファイバは、その光ポンピングに応答して光増幅を実現するようにドープされた希土類である。第１の光結合器が、第１のマルチモード光ファイバをマルチコア光ファイバの端部にエンドカップリングするように構成される。第２の光結合器が、第２のマルチモード光ファイバをマルチコア光ファイバの端部にエンドカップリングするように構成される。第３の光結合器が、ポンプ光源をマルチコア光ファイバに光学的に結合するように構成される。
2015530744.tif 000002
【特許請求の範囲】
【請求項１】
その光ポンピングに応答して光増幅を実現するように希土類ドープされたマルチコア光ファイバと、
第１のマルチモード光ファイバを前記マルチコア光ファイバの端部にエンドカップリングするように構成された第１の光結合器と、
第２のマルチモード光ファイバを前記マルチコア光ファイバの端部にエンドカップリングするように構成された第２の光結合器と、
１つまたは複数のポンプ光源を前記マルチコア光ファイバに光学的に結合するように構成された第３の光結合器と
を備える装置。
【請求項２】
前記第３の光結合器に光学的に接続され、前記マルチコア光ファイバ内の光増幅を生成するように構成された１つまたは複数のポンプ・レーザをさらに備え、
前記第３の光結合器が、前記マルチコア光ファイバの各光コアの隣接する端面を、対応するポンプ光源に結合するように構成される請求項１に記載の装置。
【請求項３】
前記第３の光結合器が、１つまたは複数のポンプ・レーザから、前記マルチコア光ファイバの前記光コアの近くの端面の適切なサブセットに、ポンプ光を優先的に送信するように構成される請求項１に記載の装置。
【請求項４】
前記マルチモード光ファイバのうちの１つの中の光の光伝播モードに大幅に依存する方式で、前記マルチコア光ファイバと前記マルチモード光ファイバのうちの前記１つとの隣接する端部間で送信される光の強度を調節するように構成される光減衰器をさらに備える請求項１に記載の装置。
【請求項５】
全光通信線路を形成するようにエンド接続されたマルチモード光ファイバの一連のスパンと、
前記スパンの対応する隣接する対をそれぞれエンド接続する複数の全光増幅器とを備える装置であって、
各全光増幅器が、光学的にポンピングされることに応答して光増幅を実現するように希土類元素でドープされたマルチコア光ファイバを含む装置。
【請求項６】
前記スパンのそれぞれの隣接する対が、前記全光増幅器のうちの１つによってエンド接続される請求項５に記載の装置。
【請求項７】
前記全光増幅器のうちの１つが、前記対応する隣接する対のスパンのうちの１つの中の光の光伝播モードに依存する方式で減衰するように構成された光減衰器を含む請求項５に記載の装置。
【請求項８】
希土類ドープされたマルチコア光ファイバの端部で、マルチモード光ファイバから光信号のストリームを受信するステップと、
前記希土類ドープされたマルチコア光ファイバ内の受信した光信号のストリームを増幅するステップと
を含む方法。
【請求項９】
前記マルチコア光ファイバの端部から、増幅した光信号のストリームを第２のマルチモード光ファイバに送信するステップをさらに含む請求項８に記載の方法。
【請求項１０】
別の希土類ドープされたマルチコア光ファイバの端部で、前記送信する動作に応答して別のマルチモード光ファイバから光信号のストリームを受信するステップと、
別の希土類ドープされたマルチコア光ファイバ内の受信した光信号のストリームを増幅するステップと
をさらに含む請求項９に記載の方法。
【発明の詳細な説明】
【技術分野】
【０００１】
本願は、Ｎｉｃｏｌａｓ  Ｋ．ＦｏｎｔａｉｎｅおよびＲｏｌａｎｄ  Ｒｙｆによって２０１２年８月２４日に出願された米国仮出願第６１／６９２７３５号の利益を主張する。
【０００２】
本発明は、一般には、光増幅器、ならびに光増幅器を使用する方法および装置に関する。
【背景技術】
【０００３】
本節は、本発明のより良い理解を促進する助けとなることがある側面を紹介する。したがって、本節の記載はこの観点で読むべきであり、何が従来技術であり、何が従来技術ではないかについての承認として理解すべきではない。
【０００４】
多くの光通信システムでは、データ変調光キャリアが、光送信機と光受信機との間で増幅を受ける。光増幅の１タイプは、光信号から電気信号へのデータ変調光キャリアの変換と、対応する電気的信号を光信号に戻す再変換を含む。そのような変換および再変換シーケンスは通常、光−電気−光（ＯＥＯ）型の信号処理と呼ばれる。別のタイプの光増幅は、どんなタイプのＯＥＯ信号処理も伴わない、光領域でのデータ変調光キャリアの増幅を含む。この後者のタイプの光増幅はしばしば、全光増幅（all-optical amplification）と呼ばれる。全光増幅は、ポンピングされた希土類ドーパントと、ラマン型光プロセスを引き起こすようにポンピングされた光導波路とを使用して実施されてきた。
【０００５】
長距離光通信システムでは、ＯＥＯおよび／または全光増幅はしばしば、受動光伝送ファイバ内のデータ変調光キャリアの減衰を補償することが必要となる。
【発明の概要】
【課題を解決するための手段】
【０００６】
第１の装置の一実施形態は、マルチコア光ファイバと、第１、第２、および第３の光結合器とを含む。マルチコア光ファイバは、その光ポンピングに応答して光増幅を実現するようにドープされた希土類である。第１の光結合器が、第１のマルチモード光ファイバをマルチコア光ファイバの端部にエンドカップリングするように構成される。第２の光結合器が、第２のマルチモード光ファイバをマルチコア光ファイバの端部にエンドカップリングするように構成される。第３の光結合器が、ポンプ光源をマルチコア光ファイバに光学的に結合するように構成される。
【０００７】
第１の装置のいくつかの実施形態では、装置は、第３の光結合器に光学的に接続され、マルチコア光ファイバ内の光増幅を生成するように構成された１つまたは複数の光ポンプ・レーザをさらに含むことができる。いくつかのそのような実施形態では、第３の光結合器が、マルチコア光ファイバの各光コアの隣接する端面を、対応するポンプ光源に結合するように構成される。任意のそのような実施形態では、装置は、１つまたは複数の光ポンプとマルチコア光ファイバとの間に接続された偏光スクランブラをさらに含むことができる。任意のそのような実施形態では、１つまたは複数のポンプ・レーザから、マルチコア光ファイバの光コアの近くの端面の適切なサブセットに、ポンプ光を優先的に、または優勢に送信するように第３の光結合器を構成することができる。
【０００８】
第１の装置の任意の実施形態では、装置は光減衰器をさらに含むことができる。光減衰器は、マルチモード光ファイバのうちの１つの中の光の光伝播モードに大幅に依存する（non-trivially dependent）方式で、マルチコア光ファイバとマルチモード光ファイバのうちの１つとの隣接する端部間で送信される光の強度を調節するように構成される。
【０００９】
第１の装置の任意の実施形態では、マルチコア光ファイバは、３つの光コアが互いにほぼ同距離である３コア光ファイバでよい。
【００１０】
第１の装置の任意の実施形態では、マルチコア光ファイバは、光コアの互いに素な（disjoint）第１および第２の集合を有することができる。第１の集合は、１つまたは複数の光コアから形成される。第２の集合は、円上に分布し、第１の集合の周りに位置する奇数の光コアから形成される。
【００１１】
第２の装置の一実施形態は、マルチモード光ファイバの一連のスパンおよび複数の全光増幅器（all-optical amplifier）を含む。一連のスパンの中では、マルチモード光ファイバのスパンがエンド接続され、全光通信線（all-optical communication line）が形成される。各全光増幅器は、スパンの対応する隣接する対をエンド接続する。各全光増幅器は、光学的にポンピングされることに応答して光増幅を実現するように希土類元素でドープされたマルチコア光ファイバを含む。
【００１２】
第２の装置のいくつかの実施形態では、スパンのそれぞれの隣接する対を全光増幅器のうちの１つによってエンド接続することができる。
【００１３】
第２の装置の任意の実施形態では、全光増幅器のうちの個々の全光増幅器は、その中のマルチコア光ファイバを光学的にポンピングするように接続された１つまたは複数の光ポンプを含むことができる。いくつかのそのような実施形態では、全光増幅器のうちの１つまたは複数は、その中の１つまたは複数の光ポンプとマルチコア光ファイバとの間に接続された偏光スクランブラを含むことができる。
【００１４】
第２の装置の任意の実施形態では、全光増幅器のうちの１つは、対応する隣接する対のスパンのうちの１つの中の光の光伝播モードに依存する方式で減衰するように構成された光減衰器を含むことができる。
【００１５】
第２の装置の任意の実施形態では、マルチコア光ファイバのうちのいくつかは、互いにほぼ同距離に位置する３つの光コアを有することができる。
【００１６】
第２の装置のいくつかの実施形態では、個々のマルチコア光ファイバは、光コアの互いに素な第１および第２の集合を有する。第１の集合は、光コアのうちの１つまたは複数から形成され、第２の集合は、円上に分布し、第１の集合の周りに位置する奇数の光コアから形成される。
【００１７】
方法の一実施形態は、受信する動作および増幅する動作を含む。受信する動作は、希土類ドープされたマルチコア光ファイバの端部で、マルチモード光ファイバから光信号のストリームを受信することを含む。増幅する動作は、希土類ドープされたマルチコア光ファイバ内において、受信した光信号のストリームを増幅することを含む。
【００１８】
方法のいくつかの実施形態では、方法は、マルチコア光ファイバの端部から、増幅した光信号のストリームを第２のマルチモード光ファイバに送信することをさらに含むことができる。
【００１９】
上記の方法の任意の実施形態では、増幅する動作は、１つまたは複数のポンプ・レーザでマルチコア光ファイバを光学的にポンピングして、その中で光増幅を生成することを含むことができる。
【００２０】
方法の任意の実施形態では、方法は、第２の受信する動作および第２の増幅する動作をさらに含むことができる。第２の受信する動作は、別の希土類ドープされたマルチコア光ファイバの端部で、送信する動作に応答して別のマルチモード光ファイバから光信号のストリームを受信することを含む。第２の増幅する動作は、別の希土類ドープされたマルチコア光ファイバ内において、受信した光信号のストリームを増幅することを含む。
【００２１】
方法のいくつかの実施形態では、方法は、マルチモード光ファイバのうちの１つの中の光の光伝播モードに基づいて強度を大幅に調節する方式で、マルチコア光ファイバとマルチモード光ファイバのうちの１つとの間で通信される光を光学的に減衰することをさらに含むことができる。
【図面の簡単な説明】
【００２２】
【図１Ａ】マルチモード光ファイバ（ＭＭＦ）および大幅に異なる横方向強度プロファイルを有する光伝播モードがデータ変調光ストリームを搬送する光通信システム用の光ファイバ増幅器、例えば希土類ドープされた増幅器の実施形態を概略的に示すブロック図である。
【図１Ｂ】マルチモード光ファイバ（ＭＭＦ）および大幅に異なる横方向強度プロファイルを有する光伝播モードがデータ変調光ストリームを搬送する光通信システム用の光ファイバ増幅器、例えば希土類ドープされた増幅器の実施形態を概略的に示すブロック図である。
【図１Ｃ】マルチモード光ファイバ（ＭＭＦ）および大幅に異なる横方向強度プロファイルを有する光伝播モードがデータ変調光ストリームを搬送する光通信システム用の光ファイバ増幅器、例えば希土類ドープされた増幅器の実施形態を概略的に示すブロック図である。
【図２】図１Ａ〜１Ｃに示すマルチコア光増幅器ファイバの断面の概略図である。
【図３】３つの光コアの光伝播モードと、エンドカップリングされた入力または出力マルチモード光ファイバ（ＭＭＦ）の光伝播モードとの間の重複を定性的に示す図１Ａ〜１Ｃの例示的３コア光増幅器ファイバの端面の断面図である。
【図４】異なる数の光コアを有する図１Ａ〜１Ｃのマルチコア光増幅器ファイバの代替例の端面の概略的断面図Ａ〜Ｆを与える図である。
【図５Ａ】図１Ａの全光増幅器の特定の実施形態を概略的に示すブロック図である。
【図５Ｂ】図１Ｂの全光増幅器の特定の実施形態を概略的に示すブロック図である。
【図５Ｃ】図１Ｃの全光増幅器の特定の実施形態を概略的に示すブロック図である。
【図６】ＬＰ０１、ＬＰ１１ｘ、およびＬＰ１１ｘ光伝播モードの光が増幅される図５Ａ〜５Ｃの全光増幅器の一例でモード等化（mode-equalize）するのに使用することのできる光減衰器を示す表面図である。
【図７】伝送ＭＭＦのスパンおよび１つまたは複数の全光増幅器、例えば図１Ａ〜１Ｃおよび２による全光増幅器のうちの１つまたは複数を有する全光通信システムを示すブロック図である。
【図８】複数の光伝播モードで光信号ストリーム用の光増幅器を操作する方法、例えば図１Ａ〜１Ｃおよび２に概略的に示される光増幅器を操作する方法を概略的に示す流れ図である。
【発明を実施するための形態】
【００２３】
図および本文では、同様の参照番号は、構造的および／または機能的に類似の要素を指す。
【００２４】
図では、いくつかの特徴の相対的寸法が、その中で示される構造のうちの１つまたは複数をよりはっきりと示すために誇張されることがある。
【００２５】
本明細書では、例示的実施形態の図および詳細な説明によって様々な実施形態をより完全に説明する。それでも、本発明を様々な形態で実施することができ、本発明は、例示的実施形態の図および詳細な説明で説明する特定の実施形態に限定されない。
【００２６】
本明細書では、マルチモード光ファイバが、光遠隔通信波長の光伝播モードのセットを誘導するように構成される単一の光コアおよび隣接する光クラッディングを有する。セットは、大幅に異なる横方向光強度プロファイル、すなわち目盛係数（scale factor）を超えて異なるプロファイルを有するモードを含む。多くの場合、マルチモード光ファイバは、本質的に軸対称である。
【００２７】
本明細書では、マルチコア光ファイバは、光クラッディング内に複数の互いに素な光コアを有する。マルチコア・ファイバでは、光コアのうちの個々の光コアおよび隣接する光クラッディングは、１つまたは複数の光伝播モードを導くことができる。複数の互いに素な光コアの存在のために、マルチコア光ファイバは、光ファイバの軸の周りに軸対称ではない。
【００２８】
以下で説明する実施形態のいくつかは、エンドカップリングされたマルチモード光ファイバの光を増幅するのに使用可能な、有利な全光ファイバ増幅器を提供する。実施形態のうちの様々な実施形態では、光増幅が行われる光ファイバは、マルチコア光ファイバである。そのようなマルチコア光ファイバは、増幅器の光学的利得が、いくつかの他の光ファイバ増幅器よりも、増幅すべき光の光伝播モードに対するより低い依存性を有するように、伝播の制御の改善を可能にすることができる。
【００２９】
図１Ａ〜１Ｃに、全光増幅器１０Ａ、１０Ｂ、１０Ｃ、すなわち希土類ドープされたファイバ光増幅器の第１、第２、および第３の実施形態をそれぞれ示す。各光増幅器１０Ａ〜１０Ｃは、エンドカップリングされた入力マルチモード光ファイバ（ＭＭＦ）１２のＮ個の対応する光伝播モードのセットからの光を受信および増幅するように構成される。エンドカップリングされた出力ＭＭＦ１４のＮ個の対応する光伝播モードのセットに増幅した光を送信するように全光増幅器１０Ａ〜１０Ｃを構成することができる。ファイバ増幅器に結合する光伝播モードのそのような各セットは、大幅に異なる横方向光強度プロファイル、すなわち目盛係数を超えて異なるプロファイルを有する横方向光伝播モードを含む。そのような各セットのＮ個の光伝播モードは、Ｎ個以下の独立のデータ変調光ストリーム、例えばモード当たりおよび波長帯当たり１つのストリームを並列に搬送することができる。入力および出力ＭＭＦ１２、１４の対応する光伝播モードのセットは、同一のおよび／または異なる光伝播モード、例えばＬＰ０１、ＬＰ１１ｘ、およびＬＰ１１ｙを含むことができる。
【００３０】
光増幅器１０Ａ〜１０Ｃのそれぞれは、マルチコア光増幅器ファイバ１６と、第１および第２の光結合器１８、２０とを含む。光結合器１８、２０は、マルチコア光増幅器ファイバ１６の端面を入力および／または出力ＭＭＦ１２、１４の端面に結合し、マルチコア光増幅器ファイバ１６を順方向および／または逆方向伝播ポンプ光源に結合する。光増幅器１０Ａ〜１０Ｃのいくつかの実施形態はまた、順方向および／または逆方向光ポンプ２２、２４、例えばレーザ光ポンプ、または希土類ドープされた光ファイバ用の他の適切なポンプ光源をも含むことができる。
【００３１】
マルチコア光増幅器ファイバ１６は、図２に概略的に示されるように、光クラッディング・マトリックス２８内に埋め込まれたＮ個の光コア２６１〜２６Ｎを有する。整数Ｎは一般に３以上である。個々の光コア２６１〜２６Ｎは、光クラッディング材料２８よりも高い光屈折率を有することができ、その結果、個々の光コア２６１〜２６Ｎは、それに沿って光を導くことができる。光コア２６１〜２６Ｎは、固定の、または縦方向に変化する横方向パターンで光クラッディング２８内に分布し、例えば、パターンは、マルチコア光増幅器ファイバ１６の軸の周りに回転することができる。光コア２６１〜２６Ｎは、横方向に十分に分離することができ、その結果、それぞれの個々の光コア２６１〜２６Ｎは、残りの光コア２６１〜２６Ｎと実質的に重複しない導波モードを有する。あるいは、光伝播モードは、Ｎ個の光コア２６１〜２６Ｎのうちの複数と実質的に重複することができる。
【００３２】
あるいは、光コア２６１〜２６Ｎのうちの個々の光コアは管状コアでよい。そのような光コア２６１〜２６Ｎでは、光屈折率は、特定の光コア２６１〜２６Ｎの軸を中心とする管状領域内で、光クラッディング・マトリックスの隣接する部分内よりも高い値を有する。そのような管状領域の内部および外部で、光屈折率は低い値を有し、例えば両方の領域は、光クラッディング・マトリックスの値の光屈折率を有することができる。そのような管状領域の厚さの中で、光屈折率は一定でよく、または管状領域の軸からの半径方向距離と共に変動することができる。
【００３３】
マルチコア光増幅器ファイバ１６は、光ポンピングに応答して光増幅をサポートするように、１つまたは複数のタイプのドーパント原子２８でドープされる。例えば、ドーパント原子２８は、エルビウム、ツリウム、プラセオジム、および／またはイッテルビウムなどの希土類ドーパント原子、または光ポンピングに応答して光増幅を生成するための別の従来から知られているドーパントを含むことができる。
【００３４】
ドーパント原子２８は、光コア２６１〜２６Ｎおよび／または光クラッディング・マトリックス２６内のマルチコア光ファイバ１２内において様々な分布を有することができる。様々な実施形態では、そのようなドーパント原子２８は、光コア２６１〜２６Ｎおよび／またはそれに隣接する光クラッディング領域内に集中することができる。受信した光の強度は通常、光コア２６１〜２６Ｎ内およびその付近でより大きいので、マルチコア光増幅器ファイバ１６内のドーパント原子２８のそのような限定された分布は、より効率的な光増幅を実現することができる。
【００３５】
個々の光コア２６１〜２６Ｎは、ＭＭＦ１２、１４の対応する光伝播モードの選択されたセットに対するマルチコア光増幅器ファイバ１６の効率的なエンドカップリングをサポートするようなマルチコア光増幅器ファイバ１６内の横方向パターンで構成および／または配置することができる。具体的には、Ｎ個の光コア２６１〜２６Ｎの端面を、入力ＭＭＦ１２から受信される増幅すべき光信号の重要なパターン（non-trivial pattern）によって照射されるように配置し、位置合せすることができる。それぞれの重要なパターンは通常、例えば光スポットの重要なパターンを介して、マルチコア光増幅器ファイバ１６内の相対的に直交する光伝播モードの一次結合を励起する。さらには、Ｎ個の光コア２６１〜２６Ｎの端面のうちの１つまたは複数は、光ポンプ２２、２４からのポンプ光のパターン、例えば前記ポンプ光の１つまたは複数のスポットのパターンによって照射されるように配置および位置合せすることができる。マルチコア光増幅器ファイバ１６の端面に対するそのような光パターンの位置合せおよび／または像倍率を選択的にセットアップして、光ファイバ増幅器１０Ａ〜１０Ｃによって生成される光学的利得の光伝播モード依存性を低減することができる。
【００３６】
低光屈折率コントラストの数モード光ファイバ（ＦＭＦ）１２の３つの対応する伝播光学モードに光学的にエンドカップリングすることのできる３コア光増幅器ファイバ１６の構成が、図３に概略的に示されている。この例では、３コア光増幅器ファイバ１６、光コア２６１〜２６３は、ほぼ同じ直径およびほぼ同じ光屈折率を有することができ、３コア光増幅器ファイバ１６の軸の周りにほぼ同距離かつ対称的に配置することができる。
【００３７】
図３では、ＦＭＦ１２の近似光伝播モード、すなわち直線偏光されたＬＰ０１、ＬＰ１１ｙ、ＬＰ１１ｘモードの横方向強度プロファイルが、網掛け領域で概略的に示されており、３つの光コア２６１〜２６３が破線で示されている。各網掛け領域は、３コア光増幅器ファイバ１６のエンドカップリングされる端面でのＦＭＦ１２のＬＰモードのうちの対応するＬＰモードの高い光強度領域を概略的に示す。具体的には、プレートＡ、Ｂ、Ｃは、ＬＰ０１モード、ＬＰ１１ｙモード、およびＬＰ１１ｘモードによってそれぞれ生成された３コア光増幅器ファイバ１６の端面の高強度照射領域を概略的に示す。
【００３８】
プレートＡ〜Ｃは、マルチコア光増幅器ファイバ１６の端面での光コア２６１、２６２、２６３に対する３コアＦＭＦ１２の個々のＬＰモードの光学的結合が、光コア２６１〜２６３のコア間分離およびコア直径に依存することを示す。この結論は、３つの光コア２６１、２６２、２６３によって導かれる光伝播モードに対するＦＭＦ１２のＬＰモードの光学的結合が、前記コア間分離およびコア直径にも依存するはずであることを定性的に示唆する。実際に、光学的結合のこれらの依存性は通常、モード依存であるはずである。そのために、３コア光増幅器ファイバ１６を画定する幾何学的パラメータに関するいくつかの選択肢は、３コア光増幅器ファイバ１６に対するＦＭＦ１２のＬＰ０１、ＬＰ１１ｙ、ＬＰ１１ｘモードのエンドカップリングに関する挿入損失の低モード依存性を実現することができる。
【００３９】
一例では、３つの光コア２６１〜２６３のそれぞれは、約１２．４マイクロメートルのコア直径、および約２９．４μｍのコア間分離を有し、光クラッディング・マトリックスに対する約０．２７％の光屈折率コントラストを有するステップ屈折率プロファイルを有することができる。例えば、３コア光増幅器ファイバ１６のいくつかの別の実施形態では、コア間分離およびコア直径のこれらの値をほぼ同じ係数によってより小さい値にスケーリングすることもできる。さらに、レンズ・システムを使用して、モード依存挿入損失を低減する倍率または縮小率（de-magnification）でＦＭＦ１２の出力端面からの光を３コア光増幅器ファイバ１６の入力端面上に結像することができる。
【００４０】
図４に、図１Ａ〜１Ｃの光ファイバ増幅器１０Ａ〜１Ｃのマルチコア光増幅器ファイバ１６の６つの例のＮ個の光コア２６１〜２６Ｎに関する特別な横方向パターンＡ、Ｂ、Ｃ、Ｄ、Ｅ、Ｆを示す。これらの６つの例では、Ｎ個の個々の光コアは、ほぼ同一のサイズ、形状、および光屈折率を有することができる。
【００４１】
特別な横方向パターンＡ、Ｂ、Ｃ、Ｄ、Ｅ、Ｆでは、マルチコア光増幅器ファイバ１６は、その位置が円形の点を介して示される、３、６、８、１０、１２、および１５個の光コア２６１〜２６Ｎをそれぞれ有する。
【００４２】
図４はまた、それぞれの特別な横方向パターンＡ〜ＤのＮ個の光コア２６１〜２６Ｎの互いに素なサブセットのメンバを接続する仮想線分をも示す。個々のサブセットでは、メンバ光コア２６１〜２６Ｎは、マルチコア増幅器光ファイバ１６内の単純な幾何学的関係を有する。個々のサブセットのメンバ光コア光コア２６１〜２６Ｎが、奇数の頂点を有する仮想のほぼ正多角形（imaginary and approximately regular polygon）、すなわち線分によって示されるような多角形の頂点に位置する。ここでは、単一の頂点物体（vertex object）は縮退多角形（degenerate polygon）と考えられる。特別な横方向では、特別な横方向パターンＢ〜Ｆは、通常は同心であり、例えばマルチコア光増幅器ファイバ１６の軸を中心とすることのできる複数のそのような多角形を有する。
【００４３】
したがって、特別な横方向パターンＢ〜Ｆでは、Ｎ個の光コア２６１〜２６Ｎによって形成される２つ以上の互いに素なサブセットがある。サブセットのうちの第１のものは、マルチコア光増幅器ファイバ１６内の中心に位置し、１つまたは複数の他のサブセットであり、それぞれのそのような他のサブセットが、円に沿って、第１のサブセットの周りに配置される、奇数の等しく離間する光コアによって形成される。別の実施形態では、数字Ｎがより大きいとして、Ｎ個の光コア２６１〜２６Ｎの他の横方向パターンがそのような特別な形を有することもできる。
【００４４】
Ｎ個の光コア２６１〜２６Ｎのそのような特別な横方向パターンは、図１Ａ〜１Ｃの光増幅器１０Ａ〜１０Ｃに有利な特性を与えると本出願人は考える。具体的には、ドープされたマルチコア光増幅器ファイバ１６のＮ個の光コア２６１〜２６Ｎがそのような特別な横方向パターンで配置される場合、入力および／または出力ＭＭＦ１２、１４にドープされたマルチコア光増幅器ファイバ１６をエンドカップリングすることが、例えば、光ファイバ増幅器１０Ａ〜１０Ｃの得られる利得の低光伝播モード依存性と共に可能となることがあると本出願人は考える。
【００４５】
例えば、入力および出力ＭＭＦ１２、１４は低光コア・クラッディング・コントラストを光屈折率で有する場合、特別な横方向パターンＡ、Ｂ、Ｃ、Ｄ、Ｅ、およびＦは、以下のＬＰ光伝播モードのそれぞれのセットに、ドープされたマルチコア光増幅器ファイバ１６をエンドカップリングするのに有利であると考えられる。
｛ＬＰ０１、ＬＰ１１ｘ、ＬＰ１１ｙ｝、すなわち３つのＬＰモードのセット、
｛ＬＰ０１、ＬＰ０２、ＬＰ１１ｘ、ＬＰ１１ｙ、ＬＰ２１ｘ、ＬＰ２１ｙ｝、すなわち６つのＬＰモードのセット、
｛ＬＰ０１、ＬＰ０２、ＬＰ１１ｘ、ＬＰ１１ｙ、ＬＰ２１ｘ、ＬＰ２１ｙ、ＬＰ３１ｘ、ＬＰ３１ｙ｝、すなわち８つのＬＰモードのセット、
｛ＬＰ０１、ＬＰ０２、ＬＰ１１ｘ、ＬＰ１１ｙ、ＬＰ２１ｘ、ＬＰ２１ｙ、ＬＰ３１ｘ、ＬＰ３１ｙ、ＬＰ１２ｘ、ＬＰ１２ｙ｝、すなわち１０個のＬＰモードのセット、
｛ＬＰ０１、ＬＰ０２、ＬＰ１１ｘ、ＬＰ１１ｙ、ＬＰ２１ｘ、ＬＰ２１ｙ、ＬＰ３１ｘ、ＬＰ３１ｙ、ＬＰ４１ｘ、ＬＰ４１ｙ、ＬＰ１２ｘ、ＬＰ１２ｙ｝、すなわち１２個のＬＰモードのセット、および
｛ＬＰ０１、ＬＰ０２、ＬＰ０３、ＬＰ１１ｘ、ＬＰ１１ｙ、ＬＰ２１ｘ、ＬＰ２１ｙ、ＬＰ３１ｘ、ＬＰ３１ｙ、ＬＰ４１ｘ、ＬＰ４１ｙ、ＬＰ１２ｘ、ＬＰ１２ｙ、ＬＰ２２ｘ、ＬＰ２２ｙ｝、すなわち１５個のＬＰモードのセット。
これらの例が示すように、ドープされたマルチコア光増幅器ファイバ１６の光コア２６１〜２６Ｎの数Ｎは、それに関して光が光学的に増幅されるエンドカップリングされたＭＭＦ１２、１４のＬＰモードの数に対応することができる。
【００４６】
図５Ａ、５Ｂ、および５Ｃは、図１Ａ、１Ｂ、および１Ｃのそれぞれの全光増幅器１０Ａ、１０Ｂ、および１０Ｃの特定の実施形態１０Ａ’、１０Ｂ’、および１０Ｃ’を示す。全光増幅器１０Ａ’〜１０Ｃ’は、図１Ａ〜１Ｃに示されるような第１および第２の光結合器１８、２０、ならびにポンプ光源２２、２４の一方または両方の特別な実施形態を含む。
【００４７】
図５Ａ〜５Ｃでは、任意選択で、第１および第２の光結合器１８、２０が、ＭＭＦ１２、１４、マルチコア光増幅器ファイバ１６、および／またはポンプ光源２２、２４から受信した光をコリメートおよび／または結像するように機能する１つまたは複数のレンズ・システム（Ｌ）を含む。そのような結像は、ＭＭＦ１２からの光の照射ビームおよび／またはポンプ光源からのポンプ光を、マルチコア光増幅器ファイバ１６の光コア２６１〜２６Ｎとより効率的に位置合せすることができる。
【００４８】
図５Ａ〜５Ｃでは、任意選択で、第１および第２の光結合器１８、２０のうちの１つまたは複数が、光ファイバ増幅器１０Ａ’〜１０Ｃ’の全利得を等化するように構成される光学マスク（ＯＭ）を含むことができる。そのような光学マスクＯＭは、入射光ビームの空間的に変動する位相および／または振幅フィルタリングを実現することができる。フィルタリングは、その端面が光学マスクＯＭに隣接する入力または出力マルチモード光ファイバ１２、１４内の光の光伝播モードに大幅に依存する方式で入射光を減衰させるように構成することができる。例えば、弱め合う光学的干渉により、このモード依存減衰を光学マスクＯＭ自体で生成することができ、または光学マスクＯＭによって処理された光を受信する光ファイバ１６、１４のうちの１つで、またはその中で生成することができる。
【００４９】
光結合器１８、２０の一方または両方のいくつかの実施形態では、任意選択の光学マスクＯＭは、１つまたは複数の波長依存フィルタを含むことができる。例えば、そのようなフィルタのスペクトル依存性を使用して、スペクトル利得平坦化（spectral gain flattening）を実現することができる。
【００５０】
いくつかの実施形態では、光結合器１８、２０の一方または両方は、光アイソレータをも含むことができる。例えば、入力および／または出力ＭＭＦ１２、１４と、隣接する光結合器１８、２０の２色性コンバイナまたはスプリッタ（ＤＣ／Ｓ）との間の光学的自由空間経路内にそのような光アイソレータを配置することができ、かつ／または入力または出力ＭＭＦ１２、１４と、マルチコア光増幅器ファイバ１６の近くの端部との間の光学的自由空間経路内に光アイソレータを配置することができる。
【００５１】
図５Ａ〜５Ｃでは、第１および第２の光結合器１８、２０のそれぞれは、光ポンプ２２、２４のうちの近くの１つによる光出力、あるいは入力ＭＭＦ１２またはマルチコア光増幅器ファイバ１６の近くの端面による光出力を受信するように構成された２×１全光結合器を含むことができる。そのような２×１光結合器は、従来から知られている２×１光結合器、例えば２×１光パワー結合器（ＯＣ）、あるいは２色性光コンバイナまたはセパレータ（ＤＣ／Ｓ）でよい。
【００５２】
図５Ａ〜５Ｃでは、順方向および／または逆方向光ポンプ光源２２、２４は、偏光スクランブラおよびポンプ・レーザを含むことができる。そのような偏光スクランブラＰＳは、対応するポンプ・レーザＰＬから受信した光の偏光をランダム化することができ、その結果、ポンプ光は、マルチコア光増幅器ファイバ１６内の希土類ドーパント原子をより効率的に励起して、例えば偏光依存性を低減する。そのような偏光スクランブラＰＳは、例えば、対応するポンプ・レーザＰＬによって異なる時間に放射された光、例えば前記ポンプ・レーザの時間的コヒーレンス時間を超えて分離された時間に放射される光を結合することができる。
【００５３】
図５Ａ〜５Ｃでは、順方向および／または逆方向光ポンプ光源２２、２４は、重要な断面を有するポンプ光ビームを形成するように、その出力光ビームが光結合器（ＯＣ）、例えばファイバ束によって空間的に結合される複数のレーザ源を含むことができる。具体的には、近くの光結合器１８、２０がマルチコア光増幅器ファイバ１６の近くの端面上にポンプ光の特別なスポット・パターンを形成するように、ポンプ光ビームを結合することができる。ポンプ光がマルチコア光増幅器ファイバ１６のＮ個の光コアのうちの１つ、複数、またはすべての端面を優先的に照射するように、そのような特別なスポット・パターンを構成することができる。マルチコア光増幅器ファイバ１６の端面に対するポンプ照射のそのような空間分布は、その中の光コア２６１〜２６Ｎ内に、および／またはそれに隣接して希土類ドーパント原子が優先的に分布する実施形態でのポンピング効率を向上させることができる。いくつかのそのような実施形態では、マルチコア光増幅器ファイバ１６の光コア２６１〜２６Ｎが実質的に光学的に結合されるので、光コア２６１〜２６ＮのすべてのＮ個の端面を照射することは不要であることがある。
【００５４】
図６に、ＬＰ０１、ＬＰ１１ｘ、およびＬＰ１１ｘ光伝播モードの光が増幅される図５Ａ〜５Ｃの全光増幅器１０’〜１０Ｃの実施形態で光学的にモード等化するのに使用可能な光減衰器マスク（ＡＭ）の一例を示す。光減衰器マスクは、２つの互いに素な領域（disjoint regions）、すなわちＤＫ領域およびＬＴ領域を有する。図６では、ＤＫ領域は、網掛けで示される円盤状領域であり、ＬＴ領域は、光減衰器マスクＡＭの面の残りの部分である。
【００５５】
図６では、破線の領域は、それぞれのＬＰ０１、ＬＰ１１ｘ、およびＬＰ１１ｘ光伝播モードが光減衰器ＡＭの入力面上でかなりの光強度を有するエリアを示す。これらの３つのＬＰモードでは、かなりの光強度の領域が、非常に異なる形で光減衰器マスクＡＭのＤＫおよびＬＴ領域に重なる。例えば、ＬＰ０１光伝播モードだけが、ＤＫ領域とのかなりの重複を有する。
【００５６】
一実施形態では、光減衰器マスクＡＭは、ＤＫ領域が強い光学的減衰をもたらし、ＬＴ領域が相対的にずっと弱い光学的減衰をもたらす、空間的に変動する振幅マスクである。ＬＰ０１光伝播モードだけがＤＫ領域上にかなりの光強度を有するので、光減衰器マスクのこの例は、ＬＰ０１光伝播モードの強度がＬＰ１１光伝播モードの強度に対して減衰されるモード等化を実現する。
【００５７】
代替実施形態では、光減衰器マスクＡＭは、ＤＫ領域およびＬＴ領域が相対位相約１８０度だけ異なる位相変調をもたらす、空間的に変動する位相マスクである。ＬＰ０１光伝播モードだけがＤＫ領域上でかなりの強度を有するので、光減衰器マスクのこの例はやはり、ＬＰ０１光伝播モードの強度が２つのＬＰ１１光伝播モードの強度に対して減衰されるモード等化を実現する。具体的には、光減衰器マスクＡＭを通じて送信されたＬＰ０１光伝播モードの光の干渉は、著しく弱め合うものとなる。例えば、そのような干渉は、例えば光減衰器マスクＡＭの位置に応じて、図５Ａ〜５Ｃのマルチコア光増幅器ファイバ１６または出力ＭＭＦ１４内で生じることがある。一方、そのような干渉は、ＬＰ１１光伝播モードの光を著しく減衰するはずはない。そのような光は、光減衰器マスクＡＭのＬＴ領域を実質的に通過するだけだからである。
【００５８】
図７に、送信ＭＭＦの（Ｍ＋１）個のスパンＳ１、Ｓ２、．．．、Ｓ（Ｍ＋１）と、１つまたは複数の全光エンド・コネクタ１０１、１０２、．．．、１０Ｍと、電気データ・ストリームを光データ・ストリームに変換する光データ送信機４と、光データ・ストリームを電気的データ・ストリームに変換する光データ受信機６とを有する全光通信システム２を示す。様々な実施形態では、整数Ｍは１以上でよい。スパンＳ１−Ｓ（Ｍ＋１）は、例えば、同一のタイプのＭＭＦ、例えば光伝播モードのほぼ同一のセットを伝播するＭＭＦのスパンでよい。スパンＳＰ１−ＳＰ（Ｍ＋１）が互いにエンド接続されて、全光エンド・コネクタ１０１、１０２、．．．、１０Ｍを介して光データ送信機４と受信機６との間の全光ファイバ伝送線路が形成される。光エンド・コネクタ１０１〜１０Ｍのうちの１つまたは複数は、図１Ａ〜１Ｃおよび２で示されるような全光ファイバ増幅器１０Ａ〜１０Ｃを含む。例えば、前記全光増幅器は、ＭＭＦの隣接するスパンの対の端面にエンド接続することができる。
【００５９】
図８に、全光ファイバ増幅器を操作して、マルチモード光ファイバの複数光伝播モードによって搬送される光信号の１つまたは複数の並列ストリームを増幅する方法３０を概略的に示す。３０の方法を使用して、図１Ａ〜１Ｃ、２、５Ａ〜５Ｃの全光増幅器１０Ａ〜１０Ｃ、１０Ａ’〜１０Ｃ’のいずれかを操作することができる。
【００６０】
方法３０は、希土類ドープされたマルチコア光ファイバ、例えば図１Ａ〜１Ｃのマルチコア光増幅器ファイバ１６の端面で、マルチモード光ファイバ、例えば図１Ａ〜１Ｃおよび５Ａ〜５Ｃの入力ＭＭＦ１２の端面から光信号の１つまたは複数のストリームを受信することを含む（ステップ３２）。１つまたは複数のストリームは通常、列挙したマルチモード光ファイバの光伝播モードのセットを介して搬送される光データ被変調搬送波を含む。光伝播モードのセットは、ある波長帯で光信号を搬送することができ、または例えば波長分割多重化を実装するために、重複しない波長帯のシーケンスで光信号を搬送することができる。セットの異なる光伝播モードは、大幅に異なる光強度および／または位相断面プロファイルを有する。具体的には、セットは、ＭＭＦの相対的に直交なモードである光伝播モードを含む。セットの光伝播モードのいくつかは、大幅に異なる、すなわちスケール変換を超えて異なる横方向強度プロファイル、かつ／または異なる角運動量固有値を有する。
【００６１】
方法３０は、希土類ドープされたマルチコア光ファイバ内の光信号の受信した１つまたは複数のストリームを増幅することを含む（ステップ３４）。通常、増幅することは、１つまたは複数のポンプ光源、例えば図１Ａ〜１Ｃおよび５Ａ〜５Ｃの順方向ポンピング光源２２および／または逆方向ポンピング光源２４でマルチコア光ファイバを光学的にポンピングすることを含む。
【００６２】
いくつかの実施形態では、方法３０は、希土類ドープされたマルチコア光増幅器ファイバの端面から、第２のマルチモード光ファイバ、例えば図１Ａ〜１Ｃおよび５Ａ〜５ＣのＭＭＦ１４の端面に、光信号の増幅した１つまたは複数のストリームを送信することをさらに含むことができる（ステップ３６）。送信は、例えば図１Ａ〜１Ｃおよび５Ａ〜５Ｃに示されるようなマルチコア光増幅器ファイバの異なる第２の端面から行うことができる。あるいは、送信は、ステップ３２で１つまたは複数のストリームの光を受信した希土類ドープされたマルチコア光増幅器ファイバの同一の入力端面、すなわち図１Ａ〜１Ｃには図示されていない構成から行うことができる。そのような実施形態では、同一の希土類ドープされたマルチコア光増幅器ファイバに増幅した光を送り戻す近くの鏡に面するように、希土類ドープされたマルチコア光増幅器ファイバの第２の端面を配向することができる。そのような増幅した光をさらに増幅し、最終的に、光サーキュレータによって前記同一のマルチコア光増幅器ファイバの元の入力端面から抽出することができ、光サーキュレータは、前記増幅した光をステップ３６の出力マルチモード光ファイバの端面に送る。
【００６３】
そのような実施形態では、方法３０はまた、第２の希土類ドープされたマルチコア光ファイバの端面で、第２の希土類ドープされたマルチコア光増幅器ファイバ内の光信号の受信した１つまたは複数のストリームを送信および増幅することに応答して、第２のマルチモード光ファイバを介して光信号の１つまたは複数のストリームを受信することをも含むことができる（ステップ３８）。例えば、ステップ３８で動作している第２の希土類ドープされたマルチコア光ファイバを、ステップ３２〜３４で動作している第１の希土類ドープされたマルチコア光ファイバとは異なる、図７の全光エンド・コネクタ１０１〜１０Ｍに配置することができる。
【００６４】
いくつかの実施形態では、方法は、マルチモード光ファイバのうちの１つの中の光の光伝播モードに基づいて強度を大幅に調節する方式で、希土類ドープ・マルチコア光ファイバとマルチモード光ファイバのうちの１つとの間で通信される光を光学的に減衰させることを含むことができる。
【００６５】
本願で説明および列挙した様々な方法では、方法の様々なステップを順次に、並列に、または部分的に並列に実施することができる。
【００６６】
本明細書では、様々な実施形態の特性を、例えばＭＭＦの伝送スパンの光伝播モードのセット上のデータ変調光キャリアをサポートする、単一の波長帯上のデータ通信に関して説明した。これらの実施形態は、重複する波長帯のシーケンスが、例えば波長分割多重化（ＷＤＭ）を介してデータ変調光キャリアをサポートする例を含むことを意図する。そのような例では、光伝播モードのセットの１つまたは複数の光伝播モードが、シーケンスの重複しない波長帯上で別々のデータ変調光キャリアを搬送することができる。
【００６７】
本明細書で説明する光増幅器および光増幅器内の光通信システムの様々な実施形態は、追加の従来の光学構成要素を含むことができる。追加の従来の光学構成要素は、例えば、伝送特性の波長依存性を除去または変更する光アイソレータおよび／または光学的利得平坦化フィルタを含むことができる。これらの追加の光学構成要素を、本願の教示に照らして当業者なら容易に理解する方式で、光増幅器の実施形態および／または全光伝送線路の実施形態で配置することができる。そのような従来の光学構成要素を、単一モード光ファイバに基づく光増幅器および／または全光伝送線路内のそのような光学構成要素の配置と同様の方式で配置することができる。
【００６８】
本発明は、説明、図、および特許請求の範囲に照らして当業者には明らかな他の実施形態を含むものとする。
【図１Ａ】
2015530744.tif 000003
【図１Ｂ】
2015530744.tif 000004
【図１Ｃ】
2015530744.tif 000005
【図２】
2015530744.tif 000006
【図３】
2015530744.tif 000007
【図４】
2015530744.tif 000008
【図５Ａ】
2015530744.tif 000009
【図５Ｂ】
2015530744.tif 000010
【図５Ｃ】
2015530744.tif 000011
【図６】
2015530744.tif 000012
【図７】
2015530744.tif 000013
【図８】
2015530744.tif 000014
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
その光ポンピングに応答して光増幅を実現するように希土類ドープされたマルチコア光ファイバと、
第１のマルチモード光ファイバを前記マルチコア光ファイバの端部にエンドカップリングするように構成された第１の光結合器であって、前記マルチコア光ファイバのコアの数が、前記第１のマルチモード光ファイバのモードの数に等しい、第１の光結合器と、
第２のマルチモード光ファイバを前記マルチコア光ファイバの端部にエンドカップリングするように構成された第２の光結合器と、
１つまたは複数のポンプ光源を前記マルチコア光ファイバに光学的に結合するように構成された第３の光結合器と
を備える装置。
【請求項２】
前記第３の光結合器に光学的に接続され、前記マルチコア光ファイバ内の光増幅を生成するように構成された１つまたは複数のポンプ・レーザをさらに備え、
前記第３の光結合器が、前記マルチコア光ファイバの各光コアの隣接する端面を、対応するポンプ光源に結合するように構成される請求項１に記載の装置。
【請求項３】
前記第３の光結合器が、１つまたは複数のポンプ・レーザから、前記マルチコア光ファイバの前記光コアの近くの端面の適切なサブセットに、ポンプ光を優先的に送信するように構成される請求項１に記載の装置。
【請求項４】
前記マルチモード光ファイバのうちの１つの中の光の光伝播モードに大幅に依存する方式で、前記マルチコア光ファイバと前記マルチモード光ファイバのうちの前記１つとの隣接する端部間で送信される光の強度を調節するように構成される光減衰器をさらに備える請求項１に記載の装置。
【請求項５】
全光通信線路を形成するようにエンド接続されたマルチモード光ファイバの一連のスパンと、
前記スパンの対応する隣接する対をそれぞれエンド接続する複数の全光増幅器とを備える装置であって、
各全光増幅器が、光学的にポンピングされることに応答して光増幅を実現するように希土類元素でドープされたマルチコア光ファイバを含み、前記マルチコア光ファイバのコアの数が、前記第１のマルチモード光ファイバのモードの数に等しい装置。
【請求項６】
前記スパンのそれぞれの隣接する対が、前記全光増幅器のうちの１つによってエンド接続される請求項５に記載の装置。
【請求項７】
前記全光増幅器のうちの１つが、前記対応する隣接する対のスパンのうちの１つの中の光の光伝播モードに依存する方式で減衰するように構成された光減衰器を含む請求項５に記載の装置。
【請求項８】
希土類ドープされたマルチコア光ファイバの端部で、前記マルチコア光ファイバのコアの数と等しい数のモードを有するマルチモード光ファイバから光信号のストリームを受信するステップと、
前記希土類ドープされたマルチコア光ファイバ内の受信した光信号のストリームを増幅するステップと
を含む方法。
【請求項９】
前記マルチコア光ファイバの端部から、増幅した光信号のストリームを第２のマルチモード光ファイバに送信するステップをさらに含む請求項８に記載の方法。
【請求項１０】
別の希土類ドープされたマルチコア光ファイバの端部で、前記送信する動作に応答して別のマルチモード光ファイバから光信号のストリームを受信するステップと、
別の希土類ドープされたマルチコア光ファイバ内の受信した光信号のストリームを増幅するステップと
をさらに含む請求項９に記載の方法。
【国際調査報告】
2015530744.tif 000015
2015530744.tif 000016
2015530744.tif 000017